(57)【要約】【課題】  浮力調整を正確に行ない、かつ組立を容易化する釣り用浮きおよびその製造方法を提供する。【解決手段】  釣り用浮き２０は、浮き本体１１の下部でセンターパイプ１２の周囲に錘１４，１５，１６を装着する。浮き本体１１の下部に固定される主錘１４と主錘１４に対して付設される浮力調整用の調整錘１５，１６とにセンターパイプ１２が挿通し、センターパイプ１２に係合して調整錘１５，１６を押圧固定するプッシュナット２１を備える。プッシュナット２１は、センターパイプ１２が挿通する挿通穴が明けられたカエリを有し、挿通穴の内周縁がセンターパイプ１２に係合することにより調整錘１５，１６を弾発的に押圧する。プッシュナット２１は浮きの比重を制御する調整錘としても機能する。【選択図】       図１
2005143384.tif 000002
【特許請求の範囲】
【請求項１】
浮き本体の下部でセンターパイプの周囲に錘を装着してなる釣り用浮きであって、
前記浮き本体の下部に固定される主錘および必要に応じて用いる浮力調整用の調整錘とに、前記センターパイプが挿通し、前記センターパイプの上部あるいは下部から、または上下から該センターパイプに係合して前記主錘および調整錘を押圧固定するプッシュナットでなる止め具を備えたことを特徴とする釣り用浮き。
【請求項２】
前記プッシュナットは、前記センターパイプが挿通する挿通穴が明けられたカエリを有し、前記挿通穴の内周縁が前記センターパイプに弾発的に係合する機能を有することにより、前記主錘および調整錘のズレ防止効果のある止め具として使用されることを特徴とする請求項１に記載の釣り用浮き。
【請求項３】
浮き本体の下部でセンターパイプの周囲に錘を装着してなる釣り用浮きの製造方法であって、
前記浮き本体の下部に固定される主錘および必要に応じて用いる浮力調整用の調整錘とに、前記センターパイプを挿通させ、
該センターパイプの上部あるいは下部から、または上下から該センターパイプにプッシュナットを弾発的に係合させ、
前記主錘または該主錘および前記調整錘を前記プッシュナットによって、または該プッシュナットおよび前記主錘の双方によって押圧固定することを特徴とする釣り用浮きの製造方法。
【請求項４】
前記プッシュナットは、浮きの比重を制御する調整錘としても使用されることを特徴とする請求項３に記載の釣り用浮きの製造方法。
【発明の詳細な説明】
【技術分野】
【０００１】
本発明は、海釣り等で使用する釣り用浮きおよびその製造方法に関するものである。
【背景技術】
【０００２】
この種の釣り用浮きとして天然木材等を切削加工して、その表面に耐水塗料を施したものが知られている。浮きの実使用に際して浮力バランスは極めて重要であり、浮きの動きや当り感度等に著しく影響する。
【０００３】
浮きの浮力調整を行なう場合、たとえば中通し浮きにあっては予め調整錘を除いて計測した浮力測定値に基き、最終的な浮力を得るための錘の重量が決定される。浮力調整用の錘として、たとえば金属製のワッシャ等が用いられ、目標浮力が得られるようにワッシャの数量および重量等が適宜選ばれ、組み立てられる。
【０００４】
ここで図４は、中通し浮き１０の例を示しており、浮き本体１１の下部に装着される錘との重量バランスをとることで所定浮力を生じさせるようにしている。浮き本体１１には釣糸を挿通するための中通し孔１２ａを有するセンターパイプ１２が嵌着するとともに、錘を収容する挿入孔１３には錘の動きを防止するための発泡樹脂１７ａや、主錘１４と浮力調整用の調整錘１５，１６が装着される。主錘１４は浮き本体１１の下部に固定され、その上に複数の調整錘１５，１６が付設される。この例では比較的大きめの１つの調整錘１５と比較的小さめの２つの調整錘１６を含み、このように大きさの異なる複数種類の調整錘１５，１６を用いることで浮きの浮力を微調整可能としている。また、別の方法として調整錘１６をＯリング１７ｂで押え、接着剤１８によってこれらの錘が固定される。なお、中通し浮き１０の外表面全体に塗装１９が施される。
【発明の開示】
【発明が解決しようとする課題】
【０００５】
しかしながら、従来の浮きではたとえば中通し浮き１０のように接着剤１８を使用するため、その分重量計算が複雑化する。また、実際の組立工程で接着剤１８の塗布には手間がかかる上、該接着剤１８を正確に計量して塗布するのは必ずしも容易でない。
【０００６】
本発明はかかる実情に鑑み、浮力調整を正確に行ない、かつ組立を容易化する釣り用浮きおよびその製造方法を提供することを目的とする。
【課題を解決するための手段】
【０００７】
本発明の釣り用浮きは、浮き本体の下部でセンターパイプの周囲に錘を装着してなる釣り用浮きであって、前記浮き本体の下部に固定される主錘および必要に応じて用いる浮力調整用の調整錘とに、前記センターパイプが挿通し、前記センターパイプの上部あるいは下部から、または上下から該センターパイプに係合して前記主錘および調整錘を押圧固定するプッシュナットでなる止め具を備えたことを特徴とする。
【０００８】
また、本発明の釣り用浮きにおいて、前記プッシュナットは、前記センターパイプが挿通する挿通穴が明けられたカエリを有し、前記挿通穴の内周縁が前記センターパイプに弾発的に係合する機能を有することにより、前記主錘および調整錘のズレ防止効果のある止め具として使用されることを特徴とする。
【０００９】
また、本発明の釣り用浮きの製造方法は、浮き本体の下部でセンターパイプの周囲に錘を装着してなる釣り用浮きの製造方法であって、前記浮き本体の下部に固定される主錘および必要に応じて用いる浮力調整用の調整錘とに、前記センターパイプを挿通させ、該センターパイプの上部あるいは下部から、または上下から該センターパイプにプッシュナットを弾発的に係合させ、前記主錘または該主錘および前記調整錘を前記プッシュナットによって、または該プッシュナットおよび前記主錘の双方によって押圧固定することを特徴とする。
【００１０】
また、本発明の釣り用浮きの製造方法において、前記プッシュナットは、浮きの比重を制御する調整錘としても使用されることを特徴とする。
【００１１】
本発明の釣り浮きは、センターパイプに係合して主錘および調整錘を上部あるいは下部から、または上下から押圧固定するプッシュナットを備え、センターパイプが挿通したプッシュナットのみによって主錘および調整錘を弾発的に押圧して固定することができる。センターパイプをプッシュナットに挿通させるだけの作業で、接着工程なく、主錘および調整錘をガタつくことなくしっかりと装着固定することができる。これにより浮き落下時の衝撃による錘のズレを防止できるため、錘部が浮き本体に埋没しなくなり、仕上り後の異音等の発生をなくすとともに、浮きの浮力調整を正確に行なうことができる。
【発明の効果】
【００１２】
本発明によれば、接着剤を使用することなく、あるいは少量の使用で主錘および調整錘を固定することができ、組立を容易化するとともに、浮きの浮力調整を正確に行なうことができるため、高品質の浮きを提供することができる。
【発明を実施するための最良の形態】
【００１３】
以下、本発明の好適な実施の形態について、添付図面に基づいて詳細に説明する。
図１は、本発明の実施形態における中通し浮き２０の例を示しており、浮き本体１１の下部に装着される錘との重量バランスをとることで所定浮力を生じさせるようになっており、その基本構成は前述した従来の場合と実質的に同様である。
【００１４】
したがって、本発明の中通し浮き２０において、浮き本体１１には錘を収容する挿入孔１３に、主錘１４と浮力調整用の調整錘１５，１６が装着された釣糸を挿通するための中通し孔１２ａを有するセンターパイプ１２が嵌着されることで、主錘１４は浮き本体１１の下部に固定され、その上に複数の調整錘１５，１６が付設される。この例では比較的大きめの１つの調整錘１５と比較的小さめの２つの調整錘１６を含み、このように大きさの異なる複数種類の調整錘１５，１６を用いることで浮きの浮力を微調整可能としている。なお、中通し浮き２０の外表面全体に塗装１９が施される。
【００１５】
本発明では特に、センターパイプ１２に係合して図１（ａ）のように主錘１４の上下にプッシュナット２１を嵌着し、あるいは図１（ｂ）のように調整錘１５，１６を押圧固定するプッシュナット２１を備えている。図３に示すようにプッシュナット２１は、センターパイプ１２が挿通する挿通穴２２が開設されたカエリ２３を有し、挿通穴２２の内周縁２２ａがセンターパイプ１２に挿入係合することにより調整錘１５，１６を弾発的に押圧固着するようになっている。
【００１６】
プッシュナット２１の具体的構成において、たとえば薄板材を用いてプレス成形加工により形成される。カエリ２３はプッシュナット２１の一面側に適度に起伏もしくは突出するように折曲され、その頂部に挿通穴２２が設けられる。また、カエリ２３には複数（この例では６つ）のスリット２４が形成され、僅かに弾性変形可能である。なお、挿通穴２２の内径は、センターパイプ１２の外径よりも幾分小径に設定されている。
【００１７】
中通し浮き２０を製造する場合、図２に示すように主錘１４にセンターパイプ１２を挿通し、センターパイプ１２の下端部に接着剤により主錘１４を固定する。さらに、センターパイプ１２を調整錘１５，１６に挿通させ、その後プッシュナット２１の挿通穴２２にセンターパイプ１２を挿通させる。この場合、カエリ２３の面とは反対側の面からセンターパイプ１２を挿通させ、内孔１００ａを有するパイプ状の治具１００を使って調整錘１６に当接するまでプッシュナット２１を押入する。これによりセンターパイプ１２に挿通穴２２の内周縁２２ａが係合し、調整錘１５，１６が弾発的に押圧固定される。
【００１８】
センターパイプ１２を主錘１４および調整錘１５，１６に挿入し、さらにプッシュナット止め具を押入し、このユニット化したものを浮き本体１１に取り付けることで中通し浮き２０が製造される。プッシュナット２１と調整錘１５，１６はその重量が中通し浮き２０が所定浮力を持つように選定されている。また、調整錘１５，１６は、センターパイプ１２を挿通したプッシュナット２１のみによって弾発的に押圧固定される。すなわち調整錘１５，１６を固定するための余分な接着剤を用いていない。このため中通し浮き２０の重量バラツキを抑制し、重量計算を安定させることができ、中通し浮き２０の浮力調整を正確に行なうことができ、高品質の浮きを提供することができる。
【００１９】
また、センターパイプ１２をプッシュナット２１に挿通させるだけの簡単な作業で、主錘１４および調整錘１５，１６をガタつくことなくしっかりと装着固定することができる。これにより仕上り後のガタツキや、落下衝撃に対するズレ、浮きのバランス崩れもなく、水漏れや異音等の発生をなくすることができ、高品質の浮きを提供することができる。
【００２０】
なお、本発明の好適な実施形態を説明したが、本発明は上述した実施形態にのみ限定されるものではなく、必要に応じて適宜変更等が可能である。
たとえば、調整錘１５，１６およびプッシュナット２１の個数等は適宜増減可能であり、上記実施形態と同様な作用効果を得ることができる。
【図面の簡単な説明】
【００２１】
【図１】本発明の実施形態に係る浮きの構成例を示す断面図である。
【図２】本発明の実施形態における調整錘の押圧固定方法を示す斜視図である。
【図３】本発明の実施形態に係るプッシュナットの例を示す図である。
【図４】従来の浮きの構成例を示す断面図である。
【符号の説明】
【００２２】
１１  浮き本体
１２  センターパイプ
１３  挿入孔
１４  主錘
１５，１６  調整錘
１９  塗装
２０  中通し浮き
２１  プッシュナット
２２  挿通穴
２３  カエリ
【図１】
2005143384.tif 000003
【図２】
2005143384.tif 000004
【図３】
2005143384.tif 000005
【図４】
2005143384.tif 000006